(57)【要約】【課題】  蓋を磁力によって箱本体に固定する収納箱であって、永久磁石などの吸着部材が露出しないために体裁が良く、吸着部材同士を吸着させる際の金属音の発生を防止し且つ蓋を確実に箱本体に固定することができる収納箱の提供。【解決手段】  吸着部材９，１８が正面部４及びフラップ１４の内部に設けられて露出せず、吸着面は正面部４の表面及びフラップ１４の裏面に平面状に形成されて正面部の表面又はフラップの裏面に対し面一であるか又はやや隆起し、蓋１２が閉じられた状態でフラップ面に平行で且つ箱本体２の上面方向に向かう力がフラップに加わったときに、フラップ１４が正面部４に対して相対的に移動することを阻止する係止手段１１，１９が正面部４とフラップ１４との間で且つ吸着面と異なる位置に設けられている【選択図】  図１
2009269645.tif 000002
【特許請求の範囲】
【請求項１】
矩形の箱本体と、該箱本体に開閉可能に結合された蓋とを含み、箱本体は板状の材料で形成され、底面部、正面部、背面部及び２つの側面部を含み上面は開放され、蓋は板状の材料で形成された蓋部と板状の材料で形成されたフラップとを含み、蓋が結合されている外面部を背面部としたときに、蓋部は前記背面部にヒンジ結合され、フラップは蓋の端縁にヒンジ結合され、蓋を閉じたときにフラップは該フラップが外接する正面部と吸着部材の磁力によって吸着面において吸着し、これにより蓋が固定される収納箱において、吸着部材は前記正面部及びフラップの内部に設けられて露出せず、吸着面は正面部の表面及びフラップの裏面に平面状に形成されて正面部の表面又はフラップの裏面に対し面一であるか又はやや隆起し、蓋が閉じられた状態でフラップ面に平行で且つ箱本体の上面方向に向かう力がフラップに加わったときに、フラップが正面部に対して相対的に移動することを阻止する係止手段が正面部とフラップとの間に且つ吸着面と異なる位置に設けられていることを特徴とする収納箱。
【請求項２】
正面部とフラップとに、それぞれ複数の吸着面が間隔を置いて水平に並ぶように存在し、単一の係止手段が、水平に並ぶ吸着面の間に設けられている請求項１記載の収納箱。
【請求項３】
正面部とフラップとに、それぞれ２つの吸着面が設けられ、単一の係止手段が、水平に並ぶ吸着面の間のほぼ中央に設けられている請求項２記載の収納箱。
【請求項４】
係止手段は、フラップに設けられた係止孔と、そのフラップが正面部に設けられた係止突部である請求項１乃至請求項３のいずれか一項記載の収納箱。
【発明の詳細な説明】
【技術分野】
【０００１】
本発明は、包装された茶葉や菓子などの食品、その他の比較的重量の大きくない種々の物品の収納箱に関する。
【背景技術】
【０００２】
蓋を本体に磁力で固定する閉止具は存在する（例えば、特許文献１参照。）。
【特許文献１】実開平２−１３６５２７号公報
【発明の開示】
【発明が解決しようとする課題】
【０００３】
本発明は、蓋を磁力によって箱本体に固定する収納箱であって、永久磁石などの吸着部材が露出しないために体裁が良く、吸着部材同士を吸着させる際の金属音の発生を防止し且つ蓋を確実に箱本体に固定することができる収納箱を提供することを課題とする。
【０００４】
特許文献１は、吸着部材である閉止具本体と蓋板とを磁力によって吸着する閉止具であり、閉止具本体に凹孔を設け、蓋板に嵌合突起を設けて両者を嵌合することにより蓋を確実に固定する構成である。このように、吸着面を凹孔と嵌合突起で嵌合する理由は、磁力はその吸着面に垂直な引っ張り力に対しては強い抵抗力を有するが、吸着面に平行な力に対しては抵抗力が弱く吸着し合っている部材同士が容易にずれるのである。そのために、嵌合手段を設けて吸着面に平行な力に強力に対抗しようとするのである。
【０００５】
特許文献１のように、従来は、吸着部材が箱本体や蓋から露出し、吸着部材自体に嵌合手段を設けている。嵌合手段が設けられているので蓋は箱本体に対してずれることがなく確実に固定することができる。しかし、その反面、金属製の吸着部材が露出しているので体裁が悪く、蓋を閉じるときに金属製の吸着部材同士が瞬間的に吸着することによって金属音が発生し特に静かな場所では気になっていた。金属製の吸着部材が磁力によって吸着するときには、磁力によって一気に吸着するので大きな衝突音が発生するのである。そこで、本発明は、吸着部材が露出しないために体裁が良く、金属音を発生することがなく、且つ蓋を箱本体に確実に固定できる収納箱を提供することを目的とするものである。
【課題を解決するための手段】
【０００６】
本発明の請求項１は、矩形の箱本体と、該箱本体に開閉可能に結合された蓋とを含み、箱本体は板状の材料で形成され、底面部、正面部、背面部及び２つの側面部を含み上面は開放され、蓋は板状の材料で形成された蓋部と板状の材料で形成されたフラップとを含み、蓋が結合されている外面部を背面部としたときに、蓋部は前記背面部にヒンジ結合され、フラップは蓋の端縁にヒンジ結合され、蓋を閉じたときにフラップは該フラップが外接する正面部と吸着部材の磁力によって吸着面において吸着し、これにより蓋が固定される収納箱において、吸着部材は前記正面部及びフラップの内部に設けられて露出せず、吸着面は正面部の表面及びフラップの裏面に平面状に形成されて正面部の表面又はフラップの裏面に対し面一であるか又はやや隆起し、蓋が閉じられた状態でフラップ面に平行で且つ箱本体の上面方向に向かう力がフラップに加わったときに、フラップが正面部に対して相対的に移動することを阻止する係止手段が正面部とフラップとの間に且つ吸着面と異なる位置に設けられている構成である。
【０００７】
請求項２は、正面部とフラップとに、それぞれ複数の吸着面が間隔を置いて水平に並ぶように存在し、単一の係止手段が、水平に並ぶ吸着面の間に設けられている要素が請求項１に付加された構成である。
【０００８】
請求項３は、正面部とフラップとに、それぞれ２つの吸着面が設けられ、単一の係止手段が、水平に並ぶ吸着面の間のほぼ中央に設けられている要素が請求項２に付加された構成である。
【０００９】
請求項４は、係止手段が、フラップに設けられた係止孔と、そのフラップが正面部に設けられた係止突部である要素が請求項１乃至請求項３のいずれか一項に付加された構成である。
【発明の効果】
【００１０】
請求項１は、吸着部材が正面部及びフラップの内部に設けられて露出せず、吸着面は正面部の表面及びフラップの裏面に平面状に形成されて正面部の表面又はフラップの裏面に対し面一であるか又はやや隆起し、蓋が閉じられた状態でフラップ面に平行で且つ箱本体の上面方向に向かう力がフラップに加わったときに、フラップが正面部に対して相対的に移動することを阻止する係止手段が正面部とフラップとの間に且つ吸着面と異なる位置に設けられている。特許文献１のように、金属製の吸着部材同士が吸着して嵌合する構成にすると、カバンの蓋を持った場合に収納物を含めたカバン全体の重量がそれぞれの吸着部材に作用する。したがって、吸着部材をカバン本体又は蓋に取り付けるに当たっては強固な取付構造にしなくてはならない。このために、吸着部材やカバンを安価に製造することができない。本発明は、係止手段が吸着部材と別個に設けられているから、係止手段のみで収納箱及びその中の収納物の重量を維持すればよいので吸着部材は簡単な構造で取り付けても支障がない。そして、係止手段を例えば本願の図面のように簡単な構造にすることが可能である。これにより、コストを抑えることができる。さらに、吸着部材がフラップ及び正面部の内部に設けられて露出しないから体裁が良い。また、金属で形成される吸着部材が瞬間的に吸着するときに金属音を発生させないので耳障りでない。
【００１１】
請求項２は、正面部とフラップとに、それぞれ複数の吸着面が間隔を置いて水平に並ぶように存在し、単一の係止手段が、水平に並ぶ吸着面の間に設けられている。収納箱が比較的大きく形成されているために複数の吸着面を必要とするときでも、吸着面ごとに係止手段を設ける必要がなく、単一の簡単な構造の係止手段であっても確実に蓋を固定できる。また、吸着面ごとに係止手段を設けると、係止状態にするときにそれらの係止手段を同時に係止しなければならず作業が円滑に行うことができないが、請求項２の発明は係止手段が単一であるから一つの係止手段を係止状態にすればよいので作業を円滑に行うことができる。また、係止手段が水平に並ぶ吸着面の間に設けられているので、収納箱全体の重量は係止部が負担し、吸着面にはその面に平行な力が作用しないから吸着部材は簡単な構造で取り付けても使用上支障がなく、コストを抑えることができる。
【００１２】
請求項３は、正面部とフラップとに、それぞれ２つの吸着面が設けられ、単一の係止手段が、水平に並ぶ吸着面の間のほぼ中央に設けられている。係止手段をフラップ及び正面部の中央に配置して吸着面を左右対称に設けることによりバランス良く蓋を固定できる。したがって、例えば蓋の上面に取っ手を設けて収納箱を手で持つときに安定した状態で持つことができる。
【００１３】
請求項４は、係止手段が、フラップに設けられた係止孔と、そのフラップが正面部に設けられた係止突部である。したがって、係止手段の構造が非常に簡単であるからコストを抑えることができる。また、係止孔から係止突部が目視できるから係止孔に係止突部を嵌合させる作業を容易に行うことができる。特許文献１は嵌合突起が蓋に遮られて目視できないから、嵌合作業に手間がかかるのである。
【発明を実施するための最良の形態】
【００１４】
次に、本発明の実施の形態について説明する。収納箱１は、厚手の板紙で形成され表面に合成樹脂のシートが接着されている。箱本体２は、矩形に形成され底面部３と、正面部４と、背面部５及び２つの側面部６，６で形成されている。箱本体２の上面は開放されている。底面部３の側縁部が正面部４及び両側面部６，６よりも外側に張り出してフランジ７を形成している。また、背面部５の側縁部は両側面部６，６よりも外側に張り出してフランジ８を形成している。シートは耐久性のある材料であれば合成樹脂に限定されない。
【００１５】
正面部４の表面側に２つの円形の凹部（図示せず。）が設けられ、その凹部に吸着部材である永久磁石９，９が取り付けられている。永久磁石９，９は凹部の底に接着することが好ましいが接着しなくてもよい。永久磁石９，９は円形に形成され、その厚みは前記凹部の深さよりもやや厚いが、凹部の深さと同じ厚みであってもよい。正面部４の表面に接着する合成樹脂のシートは凹部に永久磁石９，９を取り付けた後で永久磁石の上から接着する。永久磁石を覆っているシートの部分が吸着面１０，１０となる。正面部４の表面には、永久磁石９，９の中間に合成樹脂で形成された長円形の係止突部１１が取り付けられている。係止突起１１は合成樹脂でなくてもよく例えば厚手の板紙であってもよい。
【００１６】
箱本体２に蓋１２が開閉可能に取り付けられている。蓋１２は、蓋部１３とフラップ１４とから成る。蓋部１２及びフラップ１４は共に厚手の板紙で形成され、表面に合成樹脂のシートが接着されている。蓋部１３は背面部５の上縁にヒンジ結合されている。ヒンジ１５は、そのヒンジ１５の全長において背面部５と蓋部１３の板紙を離間させ、合成樹脂のシートのみで背面部５と蓋部１３を結合することにより構成される。蓋部１３の全長は背面部５の全長と同じ長さであって、したがって、蓋部１３で箱本体２の上面を閉じたときに、蓋部１３の両側縁部１６，１６は両側面部６，６よりも外側に張り出す。
【００１７】
蓋部１３にフラップ１４がヒンジ１７でヒンジ結合している。ヒンジ１７は前述した背面部３と蓋部１３を結合するヒンジ１５と同じ構成である。フラップ１４の裏面側に２つの円形の凹部（図示せず。）が設けられ、その凹部に吸着部材である鉄板１８，１８が取り付けられている。鉄板１８，１８は凹部の底に接着することが好ましいが接着しなくてもよい。鉄板１８，１８は円形に形成され、その厚みは前記凹部の深さよりもやや厚いが、凹部の深さと同じ厚みであってもよい。フラップ１４の裏面に接着する合成樹脂のシートは凹部に鉄板１８，１８を取り付けた後で鉄板の上から接着する。鉄板１８，１８の外径は永久磁石９，９の外径よりも大きいので、鉄板１８，１８を覆っているシートの永久磁石９，９と同じ大きさの部分が吸着面（図示せず。）となる。フラップ１４には、鉄板１８，１８の中間に硬質の合成樹脂で形成された長円形の係止孔部１９が設けられている。なお、これまでに述べた吸着部材である永久磁石９と鉄板１８は正面部４とフラップ１４のどちらに設けられてもよい。また、吸着部材による吸着は永久磁石同士の吸着であってもよい。鉄板１８の代わりに他の磁性材料を用いて吸着部材を形成してもよい。
【００１８】
図２に示すように、蓋１２を閉じたときに、蓋部１３の両側縁部１６，１６は両側面部６，６、よりも外側に張り出している。収納箱１を取り扱っているときに側縁部１６に指が掛り、蓋部１３に上方を向く力が作用しても係止突部１１と係止孔部１９との係止作用によって蓋１２は開くことがない。したがって、蓋部１３の上面に取っ手を設けて収納箱１を手で持つことができる構成にして手で持ったときも、係止突部１１と係止孔部１９との係止作用によって蓋１２は開くことがなく、安心して持ち運びできる。
【００１９】
フラップ１４の両側縁部２０，２０は両側面部６，６よりも外側に張り出している。蓋１２を開くときは、この側縁部２０に指を掛け磁力に抗してフラップ１４を正面部４から離すことによって蓋１２を開くことができる。
【図面の簡単な説明】
【００２０】
【図１】蓋をやや開いた本発明の斜視図
【図２】蓋を閉じた本発明の斜視図
【符号の説明】
【００２１】
１  収納箱
２  箱本体
３  底面部
４  正面部
５  背面部
６  側面部
７  フランジ
８  フランジ
９  永久磁石
１０  吸着面
１１  係止突部
１２  蓋
１３  蓋部
１４  フラップ
１５  ヒンジ
１６  蓋部の側縁部
１７  ヒンジ
１８  鉄板
１９  係止孔部
２０  フラップの側縁部
【図１】
2009269645.tif 000003
【図２】
2009269645.tif 000004